(57)【要約】【課題】ユーザが選択できない通信発生に起因して、その後に電池切れによる通信不能が発生することを防止する。【解決手段】通信サーバ１００は、携帯通信端末２００から携帯通信端末２００の電池残量を示す電池残量情報を受信する。また、通信サーバ１００は、携帯通信端末２００の電池残量が予め定められた電池残量の第１の基準値以下のときに、携帯通信端末２００に対応付けて記憶するＩＤにより特定される通信相手以外の通信相手と該携帯通信端末との通信を規制する。さらに、通信サーバ１００は、携帯通信端末２００の電池残量が第１の基準値より小さい第２の基準値以下のときに、携帯通信端末２００に対応付けて記憶するＩＤにより特定される通信相手からの携帯通信端末２００を着信先とする呼を更に規制する。【選択図】図１
2014225906.tif 000002
【特許請求の範囲】
【請求項１】
電池残量を計測する電池残量計測部と、該電池残量計測部で計測した電池残量に関する情報を含む電池残量情報を間欠的に送信する電池残量情報送信部とを有する携帯通信端末と、
前記電池残量情報を受信し記憶装置に記憶する電池残量情報取得部と、前記携帯通信端末を着信先とする接続要求を受信すると、前記電池残量情報を参照して該接続要求を許可するか否かを判定する接続要求判定部とを有するサーバと、を備え、
前記サーバは、前記携帯通信端末毎に、該携帯通信端末の通信相手のＩＤを対応付けて記憶する記憶部を更に備え、
前記接続要求判定部は、前記携帯通信端末の電池残量が予め定められた電池残量の第１の基準値以下のときに、前記記憶部が該携帯通信端末に対応付けて記憶するＩＤにより特定される通信相手以外の通信相手と該携帯通信端末との通信を規制し、該携帯通信端末の電池残量が前記第１の基準値より小さい第２の基準値以下のときに、該携帯通信端末に対応付けて記憶されたＩＤにより特定される通信相手からの該携帯通信端末を着信先とする呼を更に規制する、
ことを特徴とする無線通信システム。
【請求項２】
前記携帯通信端末は、特定の通信相手のＩＤを前記サーバに予め通知しており、前記接続要求判定部は、該特定の通信相手のＩＤを記憶する前記記憶部を更に参照して、前記接続要求を許可するか否かを判定する、請求項１に記載の無線通信システム。
【請求項３】
携帯通信端末から該携帯通信端末の電池残量に関する情報を受信し記憶装置に記憶する電池残量情報取得部と、前記携帯通信端末を着信先とする接続要求を受信すると、前記電池残量情報を参照して該接続要求を許可するか否かを判定する接続要求判定部と、前記携帯通信端末毎に、該携帯通信端末の通信相手のＩＤを対応付けて記憶する記憶部と、を有し、
前記接続要求判定部は、前記携帯通信端末の電池残量が予め定められた電池残量の第１の基準値以下のときに、前記記憶部が該携帯通信端末に対応付けて記憶するＩＤにより特定される通信相手以外の通信相手と該携帯通信端末との通信を規制し、該携帯通信端末の電池残量が前記第１の基準値より小さい第２の基準値以下のときに、該携帯通信端末に対応付けて記憶されたＩＤにより特定される通信相手からの該携帯通信端末を着信先とする呼を更に規制する、
ことを特徴とする無線通信システムのサーバ。
【請求項４】
電池残量を計測する電池残量計測部と、該電池残量計測部で計測した電池残量に関する情報を含む電池残量情報を間欠的に通信サーバに送信する電池残量情報送信部と、特定の通信相手先を前記通信サーバに通知する相手先情報通知部とを備え、前記電池残量が予め定められた電池残量の第１の基準値以下のときに、前記相手先情報通知部が通知した通信相手先以外の通信相手先と該携帯通信端末との通信を規制し、該携帯通信端末の電池残量が前記第１の基準値より小さい第２の基準値以下のときに、前記相手先情報通知部が通知した通信相手先からの該携帯通信端末を着信先とする呼を更に規制する通信規制を前記通信サーバに依頼することを特徴とする携帯通信端末。
【請求項５】
携帯通信端末が電池残量を計測するステップと、
携帯通信端末が、前記計測した電池残量に関する情報を含む電池残量情報を間欠的に送信するステップと、
サーバが、前記電池残量情報を受信し記憶装置に記憶するステップと、
サーバが、前記携帯通信端末を着信先とする接続要求を受信すると、前記電池残量情報を参照して該接続要求を許可するか否かを判定するステップと、
サーバが、前記携帯通信端末毎に、該携帯通信端末の通信相手のＩＤを対応付けて記憶部に記憶するステップと、を有し、
前記接続要求を許可するか否かを判定するステップでは、サーバが、前記携帯通信端末の電池残量が予め定められた電池残量の第１の基準値以下のときに、前記記憶部が該携帯通信端末に対応付けて記憶するＩＤにより特定される通信相手以外の通信相手と該携帯通信端末との通信を規制し、該携帯通信端末の電池残量が前記第１の基準値より小さい第２の基準値以下のときに、該携帯通信端末に対応付けて記憶されたＩＤにより特定される通信相手からの該携帯通信端末を着信先とする呼を更に規制する、
ことを特徴とする無線通信システムにおける通信方法。
【請求項６】
サーバが、携帯通信端末から該携帯通信端末の電池残量に関する情報を受信し記憶装置に記憶するステップと、
サーバが、前記携帯通信端末を着信先とする接続要求を受信すると、前記電池残量情報を参照して該接続要求を許可するか否かを判定するステップと、
サーバが、前記携帯通信端末毎に、該携帯通信端末の通信相手のＩＤを対応付けて記憶部に記憶するステップと、を有し、
前記接続要求を許可するか否かを判定するステップでは、サーバが、前記携帯通信端末の電池残量が予め定められた電池残量の第１の基準値以下のときに、前記記憶部が該携帯通信端末に対応付けて記憶するＩＤにより特定される通信相手以外の通信相手と該携帯通信端末との通信を規制し、該携帯通信端末の電池残量が前記第１の基準値より小さい第２の基準値以下のときに、該携帯通信端末に対応付けて記憶されたＩＤにより特定される通信相手からの該携帯通信端末を着信先とする呼を更に規制する、
ことを特徴とする無線通信システムにおける通信方法。
【請求項７】
携帯通信端末が、電池残量を計測するステップと、
携帯通信端末が、前記電池残量を計測するステップで計測した電池残量に関する情報を含む電池残量情報を間欠的に通信サーバに送信するステップと、
携帯通信端末が、特定の通信相手先を前記通信サーバに通知するステップと、
携帯通信端末が、前記電池残量が予め定められた電池残量の第１の基準値以下のときに、前記通信サーバに通知するステップで通知された通信相手先以外の通信相手先と該携帯通信端末との通信を規制し、該携帯通信端末の電池残量が前記第１の基準値より小さい第２の基準値以下のときに、前記通信サーバに通知するステップで通知された通信相手先からの該携帯通信端末を着信先とする呼を更に規制する通信規制を前記通信サーバに依頼するステップと、を有する携帯通信端末における通信方法。
【発明の詳細な説明】
【技術分野】
【０００１】
本発明は、無線通信システム、そのサーバ及び携帯通信端末に関し、更に詳しくは、携帯通信端末における電池残量の低下に起因する通信の中断を予防することが出来る無線通信システム、並びに、そのような無線通信システムに用いるサーバ及び携帯通信端末に関する。本発明は、更にそのようなサーバ及び携帯通信端末で用いられる通信方法に関する。
【背景技術】
【０００２】
無線通信システムで用いられる携帯電話機などの携帯通信端末では、相手との交信中に電池切れが発生し、交信の中断を余儀なくされることがしばしば発生する。このような場合には、交信相手側は、交信中断の理由が判らず、その時点では問い合わせの手段もない
ため、不快感や不安感を抱くことになる。
【０００３】
特許文献１には、電池の残量がしきい値よりも低くなったときには、外部との交信開始を禁止する携帯電話機が記載されている。同特許文献に記載の携帯電話機では、相手との交信開始前に電池の残量を確認し、交信中に発生する電池切れを防止することで、相手に不快感や不安感を与えることが防止できる。しかし、通話が予定外に長引いたときなどには、やはり電池切れによる通話の中断は発生し、相手に不快感や不安感を与える。
【０００４】
特許文献２には、通話中に電池の残量がしきい値よりも低下したときには、携帯電話機自身の機能により、電池切れのため通話が中断される旨を示すメールを通話中の相手に自動的に送信する旨が記載されている。同特許文献に記載の携帯電話機では、通話が予定よりも長引き、電池切れが発生した場合にも、通話相手にその旨が通知できるので、通話相手に不快感や不安感を与えることが防止できる。
【先行技術文献】
【特許文献】
【０００５】
【特許文献１】特開２００２−１９９０９２号公報
【特許文献２】特開２００９−７１５５６号公報
【発明の概要】
【発明が解決しようとする課題】
【０００６】
特許文献１に記載の携帯電話機では、電池の残量が不足しそうなときには通話を行わないので、電池切れによる通話の中断を防止する。また、特許文献２の携帯電話機では、通話中に電池切れが発生する際には、メールを送信することで、電池切れの旨を相手側に通知し、相手側に発生する不快感や不安感を防止する。しかし、一般的に、ユーザには、携帯電話機の電池の残量が少なく、電池切れが発生しそうなときにも、自身が重要と考える通信はこれを実行したいとする要望がある。このようなときに、さほど重要でない電話が掛かってきた場合には、それに対する応答を余儀なくされるので、ユーザの上記要望にも拘わらず、電池切れが発生し、重要な電話の機会を失することがある。上記双方の特許文献に記載の携帯電話機では、このような問題に対処できない。
【０００７】
本発明は、上記に鑑み、電池の残量が少なくなったときには、ユーザ自身が要望する通信以外はこれを規制することで、電池切れによる通信不能の発生を防止することが出来る無線通信システム、そのような無線通信システムに使用できるサーバ及び携帯通信端末、並びに、そのようなサーバや携帯通信端末で使用される通信方法を提供することを目的とする。
【課題を解決するための手段】
【０００８】
上記目的を達成するために、本発明の第１の観点に係る無線通信システムは、電池残量を計測する電池残量計測部と、該電池残量計測部で計測した電池残量に関する情報を含む電池残量情報を間欠的に送信する電池残量情報送信部とを有する携帯通信端末と、前記電池残量情報を受信し記憶装置に記憶する電池残量情報取得部と、前記携帯通信端末を着信先とする接続要求を受信すると、前記電池残量情報を参照して該接続要求を許可するか否かを判定する接続要求判定部とを有するサーバと、を備え、前記サーバは、前記携帯通信端末毎に、該携帯通信端末の通信相手のＩＤを対応付けて記憶する記憶部を更に備え、前記接続要求判定部は、前記携帯通信端末の電池残量が予め定められた電池残量の第１の基準値以下のときに、前記記憶部が該携帯通信端末に対応付けて記憶するＩＤにより特定される通信相手以外の通信相手と該携帯通信端末との通信を規制し、該携帯通信端末の電池残量が前記第１の基準値より小さい第２の基準値以下のときに、該携帯通信端末に対応付けて記憶されたＩＤにより特定される通信相手からの該携帯通信端末を着信先とする呼を更に規制する、ことを特徴とする。
【０００９】
また、本発明の第２の観点に係る無線通信システムのサーバは、携帯通信端末から該携帯通信端末の電池残量に関する情報を受信し記憶装置に記憶する電池残量情報取得部と、前記携帯通信端末を着信先とする接続要求を受信すると、前記電池残量情報を参照して該接続要求を許可するか否かを判定する接続要求判定部と、前記携帯通信端末毎に、該携帯通信端末の通信相手のＩＤを対応付けて記憶する記憶部と、を有し、前記接続要求判定部は、前記携帯通信端末の電池残量が予め定められた電池残量の第１の基準値以下のときに、前記記憶部が該携帯通信端末に対応付けて記憶するＩＤにより特定される通信相手以外の通信相手と該携帯通信端末との通信を規制し、該携帯通信端末の電池残量が前記第１の基準値より小さい第２の基準値以下のときに、該携帯通信端末に対応付けて記憶されたＩＤにより特定される通信相手からの該携帯通信端末を着信先とする呼を更に規制する、ことを特徴とする。
【００１０】
更に、本発明の第３の観点に係る携帯通信端末は、電池残量を計測する電池残量計測部と、該電池残量計測部で計測した電池残量に関する情報を含む電池残量情報を間欠的に通信サーバに送信する電池残量情報送信部と、特定の通信相手先を前記通信サーバに通知する相手先情報通知部とを備え、前記電池残量が予め定められた電池残量の第１の基準値以下のときに、前記相手先情報通知部が通知した通信相手先以外の通信相手先と該携帯通信端末との通信を規制し、該携帯通信端末の電池残量が前記第１の基準値より小さい第２の基準値以下のときに、前記相手先情報通知部が通知した通信相手先からの該携帯通信端末を着信先とする呼を更に規制する通信規制を前記通信サーバに依頼することを特徴とする。
【００１１】
更に、本発明の第４の観点に係る無線通信システムにおける通信方法は、携帯通信端末が電池残量を計測するステップと、携帯通信端末が、前記計測した電池残量に関する情報を含む電池残量情報を間欠的に送信するステップと、サーバが、前記電池残量情報を受信し記憶装置に記憶するステップと、サーバが、前記携帯通信端末を着信先とする接続要求を受信すると、前記電池残量情報を参照して該接続要求を許可するか否かを判定するステップと、サーバが、前記携帯通信端末毎に、該携帯通信端末の通信相手のＩＤを対応付けて記憶部に記憶するステップと、を有し、前記接続要求を許可するか否かを判定するステップでは、サーバが、前記携帯通信端末の電池残量が予め定められた電池残量の第１の基準値以下のときに、前記記憶部が該携帯通信端末に対応付けて記憶するＩＤにより特定される通信相手以外の通信相手と該携帯通信端末との通信を規制し、該携帯通信端末の電池残量が前記第１の基準値より小さい第２の基準値以下のときに、該携帯通信端末に対応付けて記憶されたＩＤにより特定される通信相手からの該携帯通信端末を着信先とする呼を更に規制する、ことを特徴とする。
【００１２】
更に、本発明の第５の観点に係る無線通信システムにおける通信方法は、サーバが、携帯通信端末から該携帯通信端末の電池残量に関する情報を受信し記憶装置に記憶するステップと、サーバが、前記携帯通信端末を着信先とする接続要求を受信すると、前記電池残量情報を参照して該接続要求を許可するか否かを判定するステップと、サーバが、前記携帯通信端末毎に、該携帯通信端末の通信相手のＩＤを対応付けて記憶部に記憶するステップと、を有し、前記接続要求を許可するか否かを判定するステップでは、サーバが、前記携帯通信端末の電池残量が予め定められた電池残量の第１の基準値以下のときに、前記記憶部が該携帯通信端末に対応付けて記憶するＩＤにより特定される通信相手以外の通信相手と該携帯通信端末との通信を規制し、該携帯通信端末の電池残量が前記第１の基準値より小さい第２の基準値以下のときに、該携帯通信端末に対応付けて記憶されたＩＤにより特定される通信相手からの該携帯通信端末を着信先とする呼を更に規制する、ことを特徴とする。
【００１３】
更に、本発明の第６の観点に係る携帯通信端末における通信方法は、携帯通信端末が、電池残量を計測するステップと、携帯通信端末が、前記電池残量を計測するステップで計測した電池残量に関する情報を含む電池残量情報を間欠的に通信サーバに送信するステップと、携帯通信端末が、特定の通信相手先を前記通信サーバに通知するステップと、携帯通信端末が、前記電池残量が予め定められた電池残量の第１の基準値以下のときに、前記通信サーバに通知するステップで通知された通信相手先以外の通信相手先と該携帯通信端末との通信を規制し、該携帯通信端末の電池残量が前記第１の基準値より小さい第２の基準値以下のときに、前記通信サーバに通知するステップで通知された通信相手先からの該携帯通信端末を着信先とする呼を更に規制する通信規制を前記通信サーバに依頼するステップと、を有することを特徴とする。
【発明の効果】
【００１４】
本発明の無線通信システム、そのサーバ、携帯通信端末、及び、通信方法では、携帯通信端末における電池残量に基づいてその携帯通信端末への接続要求が規制されるので、ユーザが要望する通信のために電池残量を有効に利用可能である。
【図面の簡単な説明】
【００１５】
【図１】本発明の一実施形態に係る無線通信システムのブロック図。
【図２】図１の携帯通信端末のブロック図。
【図３】図１の通信サーバのブロック図。
【図４】電池残量プロファイルを例示するグラフ。
【図５】図１の無線通信システムにおける処理を示すフローチャート。
【図６】図５のフローチャートのステップの詳細を示すフローチャート。
【図７】電池残量プロファイルの別例を示すグラフ。
【発明を実施するための形態】
【００１６】
本発明の実施形態を説明する前に、本発明の概要を説明する。本発明の無線通信システムは、その最小構成において、電池残量を計測する電池残量計測部と、該電池残量計測部で計測した電池残量に関する情報を含む電池残量情報を間欠的に送信する電池残量情報送信部とを有する携帯通信端末と、前記電池残量情報を受信し記憶装置に記憶する電池残量情報取得部と、前記携帯通信端末を着信先とする接続要求を受信すると、前記電池残量情報を参照して該接続要求を許可するか否かを判定する接続要求判定部とを有するサーバと
を備える。
【００１７】
また、本発明の無線通信システムのサーバは、その最小構成において、携帯通信端末から該携帯通信端末の電池残量に関する情報を受信し記憶装置に記憶する電池残量情報取得部と、前記携帯通信端末を着信先とする接続要求を受信すると、前記電池残量情報を参照して該接続要求を許可するか否かを判定する接続要求判定部とを備える。
【００１８】
更に、本発明の携帯通信端末は、その最小構成において、電池残量を計測する電池残量計測部と、該電池残量計測部で計測した電池残量に関する情報を含む電池残量情報を間欠的に通信サーバに送信する電池残量情報送信部と、前記電池残量が所定値以下と予測された場合に規制すべき接続要求の要求元の例外を規定する特定の通信相手先を前記通信サーバに通知する相手先情報通知部とを備える。
【００１９】
更に、本発明の無線通信システムにおける通信方法は、その最小構成において、携帯通信端末が電池残量を計測するステップと、携帯通信端末が、前記計測した電池残量に関する情報を含む電池残量情報を間欠的に送信するステップと、サーバが、前記電池残量情報を受信し記憶装置に記憶するステップと、サーバが、前記携帯通信端末を着信先とする接続要求を受信すると、前記電池残量情報を参照して該接続要求を許可するか否かを判定するステップとを有する。
【００２０】
更に、本発明の無線通信システムのサーバにおける通信方法は、その最小構成において、サーバが、携帯通信端末から該携帯通信端末の電池残量に関する情報を受信し記憶装置に記憶するステップと、サーバが、前記携帯通信端末を着信先とする接続要求を受信すると、前記電池残量情報を参照して該接続要求を許可するか否かを判定するステップとを有する。
【００２１】
更に、本発明の携帯通信端末における通信方法は、その最小構成において、コンピュータが電池残量を計測するステップと、コンピュータが、前記計測した電池残量に関する情報を含む電池残量情報を間欠的に通信サーバに送信するステップと、コンピュータが、前記電池残量が所定値以下と予測された場合に規制すべき接続要求の要求元の例外を規定する特定の通信相手先を前記通信サーバに通知するステップとを有する。
【００２２】
更に、本発明のサーバのためのプログラムは、その最小構成において、コンピュータに、携帯通信端末から該携帯通信端末の電池残量に関する情報を受信し記憶装置に記憶する処理と、前記携帯通信端末を着信先とする接続要求を受信すると、前記電池残量情報を参照して該接続要求を許可するか否かを判定する処理とを実行させる。
【００２３】
更に、本発明の携帯通信端末のためのプログラムは、コンピュータに、電池残量を計測する処理と、前記計測した電池残量に関する情報を含む電池残量情報を間欠的に通信サーバに送信する処理と、前記電池残量が所定値以下と予測された場合に規制すべき接続要求の要求元の例外を規定する特定の通信相手先を前記通信サーバに通知する処理とを実行させる。
【００２４】
以下、本発明の実施形態について詳細に説明する。図１は、本発明の一実施形態に係る無線通信システムを示すブロック図である。無線通信システム１０は、サーバ（通信サーバ）１００と、複数の無線基地局１１０、１１０Ａ、１１０Ｂと、複数の携帯通信端末２００、２００Ａ、２００Ｂとを備える。通信サーバ１００は、各無線基地局１１０、１１０Ａ、１１０Ｂと通信回線１２０を介して接続されている。携帯通信端末２００、２００Ａ、２００Ｂは、各エリアを管轄する無線基地局１１０、１１０Ａ、１１０Ｂ、及び、これらと接続された通信サーバ１００を介して、他の携帯通信端末と通話又は電子メールによる交信が可能である。
【００２５】
図２は、図１の携帯通信端末２００の構成を示すブロック図である。他の携帯通信端末２００Ａ、２００Ｂも同様な構成を有する。携帯通信端末２００は、無線基地局１１０との間で無線通信回線を介して交信する無線ブロック２０１と、通話を処理する通話処理ブロック２０２と、電子メールを処理する電子メール処理ブロック２０３と、電池３００の残量に基づいて着信を規制する着信規制データ生成ブロック２０４とを有する。
【００２６】
着信規制データ生成ブロック２０４は、電池残量計測部２０５と、電池残量プロファイル推定部２０６と、電池残量情報送信部２０７と、優先交信相手通知部２０８と、記憶部２０９とを有する。電池残量計測部２０５は、定期的に電池３００の端子電圧を測定し、その端子電圧に基づいて電池残量を求め、記憶部２０９の電池残量データ２１１として記憶する。電池残量プロファイル推定部２０６は、計測された電池残量に基づいて、現時点以降の時系列的な電池残量プロファイルを推定する。また、その推定に基づいて、例えば１回又は所定回数の通話にのみ耐える電池残量となる時刻（以下、この時刻を電池切れ時刻と呼び、また、この状態を電池切れと呼ぶ）を推定する。電池残量情報送信部２０７は、電池残量プロファイル推定部２０６が推定した電池残量プロファイル及び電池切れ時刻を含む電池残量情報を、無線ブロック２０１、及び、無線基地局１１０を介して、通信サーバ１００に送信する。なお、送信する電池残量情報は、電池切れの推定時刻のみでもよい。
【００２７】
優先交信相手通知部２０８は、ユーザが入力した優先交信相手先のリストである優先端末ＩＤリスト２１０を記憶部２０９から取り出し、この優先端末ＩＤリスト２１０を通信サーバ１００に向けて送信する。優先交信相手先は、電池切れが発生した後にも、この相手からの接続要求を受け付けるものと、ユーザが定めた交信相手である。例えば、ユーザは、本実施形態では、優先交信相手として図１の携帯通信端末２００Ａを指定する。
【００２８】
図３は、図１の通信サーバの構成を示すブロック図である。通信サーバ１００は、送受信部１０１と、電池残量情報取得部１０２と、接続要求判定部１０３と、優先度情報取得部１０４と、記憶部１０５とを有する。送受信部１０１は、無線基地局１１０、１１０Ａ、１１０Ｂを経由して、携帯通信端末２００、２００Ａ、２００Ｂから必要な情報及び接続要求を受信する。また、受け付けた接続要求を該当する携帯通信端末２００、２００Ａ、２００Ｂに転送する。電池残量情報取得部１０２は、送受信部１０１を経由して、携帯通信端末２００から携帯通信端末２００内の電池３００の電池切れ時刻を含む電池残量情
報を受信し、記憶部１０５に電池残量情報１０６として保存する。
【００２９】
図４は、電池残量プロファイルを例示している。携帯通信端末２００は、例えば定期的に電池残量を計測する。その計測結果Ａ１、Ａ２、．．．、Ａ４は、時間軸上でプロットされる。プロットされたグラフの勾配で、電池残量がしきい値に達する点Ａ５の時刻、つまり電池切れの時刻ｔ１が推定される。携帯通信端末２００の電池残量プロファイル推定部２０６は、このようにプロットした電池残量プロファイル及び電池切れ推定時刻を電池残量データ２１１として保存し、且つ、その電池残量プロファイル及び電池切れ推定時刻を含む電池残量情報を通信サーバ１００に通知する。通信サーバ１００の電池残量情報取得部１０２は、この情報を電池残量情報１０６として記憶部１０５に保存する。
【００３０】
本実施形態では、通信サーバ１００は、電池残量プロファイル及び電池切れの推定時刻を含む電池残量情報１０６を記憶部１０５に記憶している。しかし、電池残量情報１０６は、電池切れ時刻のみを含む情報として保存することも出来る。或いは、上記実施形態の構成に代えて、電池残量の計測値を定期的又は間欠的に通信サーバ１００に送信して、通信サーバ１００で電池切れ時刻を推定してもよい。電池残量情報取得部１０２による電池残量情報の取得は、例えば携帯通信端末２００が新たに電池残量を計測する時点毎に実行される。
【００３１】
優先度情報取得部１０４は、携帯通信端末２００から、優先端末ＩＤリストを受信し、これを記憶部１０５に優先端末ＩＤリスト１０７として記憶する。優先度が高い通信相手先を送信元とする呼又は電子メールの接続要求は、優先端末ＩＤリスト１０７を参照して特定され、優先的に携帯通信端末２００に送られる。より詳細には、優先端末ＩＤリスト１０７に記載された優先端末を送信元とする呼又は電子メールは、電池残量が図４の電池残量プロファイルにおける残量しきい値に達したと推定される時刻、つまり電池切れの時刻ｔ１においても、携帯通信端末２００に送信される。なお、しきい値を２段階に設け、最初に電池残量が到達する第１のしきい値では、優先度が高い通信相手先からの呼又は電子メールを受け付け、次に到達する第２のしきい値では、例えば電子メールのみを受け付ける、或いは、接続要求の全てを拒否するなどとしてもよい。
【００３２】
携帯通信端末２００の電池残量情報送信部２０７は、図４のＡ１、Ａ２、．．．、Ａ４で示したように、残量情報を一定の周期で送信している。しかし、これに代えて、現時点の電池残量が多いため電池切れのおそれが小さい時期には送信間隔を長くとり、電池残量が低下し電池切れが近づいた時期には送信間隔を短くした送信間隔を採用してもよい。この場合には、データ送信による電力消費を低減しつつ、正確な電池切れ時刻が予測可能となる。
【００３３】
図５は、上記実施形態の無線通信システムにおける処理を示すフローチャートである。携帯通信端末２００は、ステップＳ１において、携帯通信端末２００の電池残量計測部２０５で電池３００の残量を測定する。次いで、携帯通信端末２００は、ステップＳ２において、電池残量プロファイル及び電池切れ時刻を推定し、これを電池残量情報として通信サーバ１００に送信する。通信サーバ１００は、ステップＳ３において、受信した電池残量情報をそのまま、或いは、これから電池切れ時刻を抜き出して記憶部１０５に電池残量情報１０６として記憶する。その後、ステップＳ４において通信サーバ１００は、携帯通信端末２００の電池切れ推定時刻から所定時間前の時刻に達すると、準備処理を含む送信元制限処理を開始する。送信元制限処理では、携帯通信端末２００Ａ、２００Ｂなどから接続要求があると、優先端末ＩＤリスト１０７を参照して、その接続要求を許可するか否かを判定する。送信元が優先端末ＩＤリスト１０７に含まれる携帯通信端末２００Ａであれば接続を許可し、優先端末ＩＤリスト１０７に含まれない携帯通信端末、例えば携帯通信端末２００Ｂであれば、接続を拒否する。接続を拒否した旨は、送信元の携帯通信端末２００Ｂには、その旨をメッセージによって通知される。また、携帯通信端末２００には、例えば電池切れが解消した時点で通知され、交信履歴に表示される。
【００３４】
図６は、図５のフローチャートにおけるステップＳ４の詳細処理を示す。通信サーバ１００は、記憶部１０５に記憶された電池残量情報１０６の電池切れの推定時刻よりも所定時間前の時刻になると、送信元限定処理の準備処理を開始する（ステップＳ１１）。携帯通信端末２００は、通信サーバ１００から送信元限定処理の準備処理開始通知を受けると、電池残量情報の送信周期を短くする（ステップＳ１２）。携帯通信端末２００は、その送信間隔に従って電池残量の計測間隔を短くする（ステップＳ１３）。携帯通信端末２００は、ステップＳ１４で、電池切れ推定時刻に達したか否かを判定し、電池切れ推定時刻に達していなければ、その時点で電池残量を計測する。携帯通信端末２００は、その計測した電池残量が残量しきい値に達したか否かを判定する（ステップＳ１５）。ステップＳ１５の判定で、残量しきい値に達していなければステップＳ１３に戻る。これは、図７に示すように、電池切れの推定時刻（ｔ２）になっても、実際には電池切れが発生しなかった場合の処理である。電池残量の計測結果及び推定された電池切れ時刻を含む電池残量プロファイルは、通信サーバ１００に送信され、その内容に従って、通信サーバ１００における電池切れの推定時刻が更新される。この場合には、例えば図７に示した電池残量の計測結果Ａ１１、Ａ１２、．．．、Ａ１５から、その勾配が再計算され、電池切れの時刻が新たに推定される。
【００３５】
ステップＳ１５の判定で、電池残量がしきい値以下であると判定されると、ステップＳ１６に進み、携帯通信端末２００は、通信サーバに送信元制限処理を実行するように依頼する。ステップＳ１４で、電池切れ予定時刻に達したと判定されると、ステップＳ１７に進み、電池残量の計測を行い、電池残量がしきい値以下に達したか否かが判定される。ステップＳ１７の判定で、電池残量がしきい値以下と判定されると、携帯通信端末２００は、通信サーバ１００による送信元制限処理をスタートさせて、そのまま待機する（ステップＳ１８）。これは、図４に示したように、電池切れの推定時刻が、実際の電池切れの時刻とほぼ一致していた場合に実行される処理である。
【００３６】
ステップＳ１８からステップＳ１９に進み、優先度が低い携帯通信端末２００Ｂが通信サーバ１００に対して、携帯通信端末２００への接続要求を送信すると、通信サーバ１００は、優先端末ＩＤリスト１０７を参照して、その接続要求を拒否する（ステップＳ２０）。一方、ステップＳ１７で電池残量がしきい値以上であると判定されると、携帯通信端末２００は、その電池残量を通知すると共に、通信サーバ１００に送信元制限処理を解除するように依頼する（ステップＳ２１）。この時点で、電池切れ時刻は、送信された電池残量に基づいて更新される。
【００３７】
ステップＳ２２で、携帯通信端末２００Ｂが通信サーバ１００に対して、携帯通信端末２００への接続要求を送信すると、通信サーバ１００は、優先端末ＩＤリスト１０７を参照することなく、その接続要求を許可する（ステップＳ２３）。その後、携帯通信端末２００Ｂからの接続要求、例えば呼は、通信サーバ１００を介して携帯通信端末２００に送信され、双方の間で通話が可能になる（ステップＳ２４）。
【００３８】
上記実施形態では、携帯通信端末２００における電池残量の情報を無線通信システム１０の通信サーバ１００内で保存しておき、その電池残量情報に基づいて接続要求を許可するか否かを判定する。このため、ユーザ自身の選択が及ばない接続要求に応答することで電池切れによる交信不能の事態が発生することを防止できる。
【００３９】
また、携帯通信端末２００から、特定の通信相手先のＩＤリストを通信サーバ１００に予め通知し、電池切れが発生した場合には、それ以外の送信元の接続要求を制限する。このため、ユーザにとって優先度が低い接続要求に応答することで電池切れによる交信不能の事態が発生することを防止できる。
【００４０】
更に、携帯通信端末２００が、時系列的な電池残量プロファイルから電池切れの時刻を予測することで、正確な電池切れの時刻が推定できる。このため、通信サーバ１００における処理が容易になる。
【００４１】
更に、携帯通信端末２００から送信する電池残量情報の送信間隔を、計測された電池残量に依存するように構成する。この場合、例えば電池切れの推定時刻が近づいたときには、送信間隔を短くすることで、電池切れの時刻がよりきめ細かに推定でき、また、例えば電池切れが発生しないと予測されるときに、送信間隔を長く設定することで、電力の浪費を抑えることが出来る。
【００４２】
以上、本発明を特別に示し且つ例示的な実施形態を参照して説明したが、本発明は、その実施形態及びその変形に限定されるものではない。当業者に明らかなように、本発明は、添付の特許請求の範囲に規定される本発明の精神及び範囲を逸脱することなく、種々の変更が可能である。
【００４３】
（付記１）
電池残量を計測する電池残量計測部と、該電池残量計測部で計測した電池残量に関する情報を含む電池残量情報を間欠的に送信する電池残量情報送信部とを有する携帯通信端末と、
前記電池残量情報を受信し記憶装置に記憶する電池残量情報取得部と、前記携帯通信端末を着信先とする接続要求を受信すると、前記電池残量情報を参照して該接続要求を許可するか否かを判定する接続要求判定部とを有するサーバと、を備える無線通信システム。
【００４４】
（付記２）
前記サーバは、前記受信した電池残量情報に基づいて、時系列的な電池残量プロファイル又は電池切れ時刻を予測する電池残量推定部を更に備える、付記１に記載の無線通信システム。
【００４５】
（付記３）
前記電池残量情報送信部による前記電池残量情報の送信間隔が、前記計測された電池残量に依存する、付記１又は２に記載の無線通信システム。
【００４６】
（付記４）
携帯通信端末から該携帯通信端末の電池残量に関する情報を受信し記憶装置に記憶する電池残量情報取得部と、前記携帯通信端末を着信先とする接続要求を受信すると、前記電池残量情報を参照して該接続要求を許可するか否かを判定する接続要求判定部とを有する無線通信システムのサーバ。
【００４７】
（付記５）
前記接続要求判定部は、更に前記携帯通信端末から受信した優先端末ＩＤリストを参照して、前記接続要求を許可するか否かを判定する、付記４に記載の無線通信システムのサーバ。
【００４８】
（付記６）
電池残量を計測する電池残量計測部と、該電池残量計測部で計測した電池残量に関する情報を含む電池残量情報を間欠的に通信サーバに送信する電池残量情報送信部と、特定の通信相手先を前記通信サーバに通知する相手先情報通知部とを備え、前記電池残量に依存して前記特定の通信相手先を送信元とする通信以外の通信を規制する通信規制を前記通信サーバに依頼する携帯通信端末。
【００４９】
（付記７）
前記電池残量情報送信部は、前記計測した電池残量に依存して前記電池残量情報を送信する間隔を選定する、付記６に記載の携帯通信端末。
【００５０】
（付記８）
携帯通信端末が電池残量を計測するステップと、
携帯通信端末が、前記計測した電池残量に関する情報を含む電池残量情報を間欠的に送信するステップと、
サーバが、前記電池残量情報を受信し記憶装置に記憶するステップと、
サーバが、前記携帯通信端末を着信先とする接続要求を受信すると、前記電池残量情報を参照して該接続要求を許可するか否かを判定するステップと、を有する無線通信システムにおける通信方法。
【００５１】
（付記９）
前記携帯通信端末が、特定の通信相手のＩＤを前記サーバに予め通知するステップを更に有し、サーバは、前記接続要求を判定するステップでは、前記特定の通信相手のＩＤを更に参照して、前記接続要求を許可するか否かを判定する、付記８に記載の無線通信システムにおける通信方法。
【００５２】
（付記１０）
サーバが、携帯通信端末から該携帯通信端末の電池残量に関する情報を受信し記憶装置に記憶するステップと、
サーバが、前記携帯通信端末を着信先とする接続要求を受信すると、前記電池残量情報を参照して該接続要求を許可するか否かを判定するステップとを有する無線通信システムにおける通信方法。
【００５３】
（付記１１）
サーバは、前記接続要求を判定するステップでは、更に前記携帯通信端末から受信した優先端末ＩＤリストを参照して、前記接続要求を許可するか否かを判定する、付記１０に記載の無線通信システムにおける通信方法。
【００５４】
（付記１２）
コンピュータが電池残量を計測するステップと、
コンピュータが、前記計測した電池残量に関する情報を含む電池残量情報を間欠的に通信サーバに送信するステップと、
コンピュータが、前記電池残量が所定値以下と予測された場合に規制すべき接続要求の要求元の例外を規定する特定の通信相手先を前記通信サーバに通知するステップとを有する携帯通信端末における通信方法。
【００５５】
（付記１３）
コンピュータは、前記電池残量情報を送信するステップでは、前記計測した電池残量に依存して前記電池残量情報を送信する間隔を選定する、付記１２に記載の携帯通信端末における通信方法。
【００５６】
（付記１４）
コンピュータに、
携帯通信端末から該携帯通信端末の電池残量に関する情報を受信し記憶装置に記憶する処理と、
前記携帯通信端末を着信先とする接続要求を受信すると、前記電池残量情報を参照して該接続要求を許可するか否かを判定する処理と、を実行させるプログラム。
【００５７】
（付記１５）
前記接続要求を判定する処理では、更に前記携帯通信端末から受信した優先端末ＩＤリストを参照して、前記接続要求を許可するか否かを判定する、付記１４に記載のプログラム。
【００５８】
（付記１６）
コンピュータに、
電池残量を計測する処理と、前記計測した電池残量に関する情報を含む電池残量情報を間欠的に通信サーバに送信する処理と、
前記電池残量が所定値以下と予測された場合に規制すべき接続要求の要求元の例外を規定する特定の通信相手先を前記通信サーバに通知する処理と、を実行させるプログラム。
【００５９】
（付記１７）
前記電池残量情報を送信する処理では、前記計測した電池残量に依存して前記電池残量情報を送信する間隔を選定する、付記１６に記載のプログラム。
【符号の説明】
【００６０】
１０：無線通信システム
１００：通信サーバ
１０１：送受信部
１０２：電池残量情報取得部
１０３：接続要求判定部
１０４：優先度情報取得部
１０５：記憶部
１０６：電池残量情報
１０７：優先端末ＩＤリスト
１１０、１１０Ａ、１１０Ｂ：無線基地局
２００、２００Ａ、２００Ｂ：携帯通信端末
２０１：無線ブロック
２０２：通話処理ブロック
２０３：電子メール処理ブロック
２０４：着信規制データ生成ブロック
２０５：電池残量計測部
２０６：電池残量プロファイル推定部
２０７：電池残量情報送信部
２０８：優先交信相手通知部
２０９：記憶部
２１０：優先端末ＩＤリスト
２１１：電池残量データ
３００：電池
【図１】
2014225906.tif 000003
【図２】
2014225906.tif 000004
【図３】
2014225906.tif 000005
【図４】
2014225906.tif 000006
【図５】
2014225906.tif 000007
【図６】
2014225906.tif 000008
【図７】
2014225906.tif 000009